(57)【要約】【課題】ユーザが簡便に立体画像視聴用メガネを利用可能な画像表示装置及び表示方法を提供することができる。【解決手段】ＤＴＶ１は接続ケーブル３によってシャッタメガネ２と接続されるとき、シャッタメガネ２を充電することができる。ＤＴＶ１が接続されたシャッタメガネ２の充電を行うとき、ＤＴＶ１はこの時のシャッタメガネ２の充電状況の情報をシャッタメガネ２より取得し、これに基づいて充電状況に関する情報を示す充電状況表示３２を表示部１２０に表示する。充電状況表示３２が表示されることによって、ユーザは一見してシャッタメガネ２の充電状況を把握することが可能となる。【選択図】図３
2011211660.tif 000002
【特許請求の範囲】
【請求項１】
立体画像視聴用メガネと電気的に接続される接続手段と、
接続された前記立体画像視聴用メガネに対して電力を送信する電力送信手段と、
前記立体画像視聴用メガネの充電量に関する情報を受信する受信手段と、
前記充電量に関する情報に基づいて、前記立体画像視聴用メガネの前記充電量に関する
情報を示す画像表示を行う表示手段と、
を具備することを特徴とする画像表示装置。
【請求項２】
前記立体画像視聴用メガネに対して、前記充電量に関する情報を送信する旨の指示信号
を送信する指示送信手段を、
更に具備することを特徴とする請求項１記載の画像表示装置。
【請求項３】
電源オン状態と待機状態とを切り替える電源制御手段を、更に具備し、
前記電力送信手段は前記待機状態において電力を送信すること
を特徴とする請求項２記載の画像表示装置。
【請求項４】
前記表示手段は、前記充電量に関する情報に基づいて、前記立体画像視聴用メガネの最
大充電量に対する現在の充電量の割合である充電率を表示すること
を特徴とする請求項３記載の画像表示装置。
【請求項５】
前記表示手段は、前記充電量に関する情報に基づいて、前記立体画像視聴用メガネが前
記充電量で連続して駆動することの可能な時間を表示すること
を特徴とする請求項４記載の画像表示装置。
【請求項６】
前記表示手段は、前記充電量に関する情報に基づいて、前記立体画像視聴用メガネの充
電が完了した旨の表示を行うこと
を特徴とする請求項５記載の画像表示装置。
【請求項７】
前記充電量に関する情報に基づいた点灯を行うインジケータを、更に具備し、
前記インジケータは前記待機状態においても前記充電量に関する情報に基づいた点灯を行
うこと
を特徴とする請求項６記載の画像表示装置。
【請求項８】
立体視画像視聴用メガネと、画像表示装置を有する画像表示システムであって、
前記画像表示装置は、
前記立体画像視聴用メガネと電気的に接続される接続手段と、
接続された前記立体画像視聴用メガネに対して電力を送信する電力送信手段と、
前記立体画像視聴用メガネの充電量に関する情報を受信する受信手段と、
前記充電量に関する情報に基づいて、前記立体画像視聴用メガネの前記充電量に関する情
報を示す画像表示を行う表示手段と、を具備し、
前記立体視画像視聴用メガネは、
前記画像表示装置に前記自身の充電量に関する情報を送信する送信手段を具備する、
ことを特徴とする画像表示システム
【請求項９】
画像表示装置において実行される表示方法であって
立体画像視聴用メガネと電気的に接続し、
接続された前記立体画像視聴用メガネに対して電力を送信し、
前記立体画像視聴用メガネの充電量に関する情報を受信し、
前記充電量に関する情報に基づいて、前記立体画像視聴用メガネの前記充電量に関する
情報を示す画像表示を行う、
ことを特徴とする表示方法。
【発明の詳細な説明】
【技術分野】
【０００１】
本発明は、画像表示装置及び表示方法に関するものであって、特に立体映像をユーザに
提供できる画像表示装置、画像表示システム、及びこの画像表示装置に適用可能な表示方
法に関する。
【背景技術】
【０００２】
近年、映像表示技術の発達によってユーザに立体映像（立体画像）を提供することの可
能で映像表示装置が提案されている。
【０００３】
ユーザに立体映像（立体画像）を提供する一つの方法として、ユーザの左眼のみに提供
する画像である左眼用画像と、ユーザの右眼のみに提供する画像である右眼用画像とを順
次交互に表示することで、立体映像（立体画像）をユーザに提供する方法がある。さらに
、このよう方法で立体映像（立体画像）を提供する場合には立体画像視聴用メガネである
シャッタメガネを利用する場合がある。シャッタメガネとは、左眼のシャッタと右眼のシ
ャッタとがそれぞれ透光／遮光を切り替えることが可能なメガネである。この遮光／透光
を利用してシャッタメガネは、映像表示装置に左眼用画像が表示されているときは、ユー
ザの左眼のみに画像を見せ、右眼用画像が表示されているときは、ユーザの右眼のみに画
像を見せる。左目用画像、右目用画像には視差がついており、これによってユーザは表示
された映像（画像）を立体映像（立体画像）として認識することが可能となる。
【０００４】
一般的に、シャッタメガネのシャッタ部は例えば液晶等によって構成されており、電圧
の印加に応じて遮光したり、透光したりするため、遮光／透光を切り替えるためには液晶
等のシャッタ部に電力の供給が必要となる。つまり、シャッタメガネは単独で駆動すると
き、電力の供給源であるバッテリを有している方が好適であり、このとき、シャッタメガ
ネは電池の交換又は充電が必要となる。また、シャッタメガネの充電は立体映像（立体画
像）表示する映像表示装置（例えばテレビ等）から充電できるとすると簡便である。
【０００５】
接続する機器に電力を供給し、この機器を充電するテレビ受像機として、デジタル静止
画像を蓄積可能なテレビジョン受像機で、テレビ受像機と接続されたステーションに収納
されたデジタルカメラの充電状況をテレビ画面に表示するテレビ受像機が提案されている
（特許文献１を参照）。
【先行技術文献】
【特許文献】
【０００６】
【特許文献１】特開２００９−８８６６０号公報
【発明の概要】
【発明が解決しようとする課題】
【０００７】
上記提案等において、一般的にデジタルカメラは表示部を有しており、自身の充電状況
を表示部によってユーザに確認させることが可能であるが、シャッタメガネには表示部が
ないため充電状況を確認できない場合が存在し、充電状況を確認できないことはユーザに
とって非常に不便である。
【０００８】
本発明は上記問題に鑑みてなされたものであって、ユーザが簡便に立体画像視聴用メガ
ネを利用可能な画像表示装置、画像表示システム、及び表示方法を提供することを課題と
する。
【課題を解決するための手段】
【０００９】
本発明にかかる画像表示装置は、立体画像視聴用メガネと電気的に接続される接続手段
と、接続された前記立体画像視聴用メガネに対して電力を送信する電力送信手段と、前記
立体画像視聴用メガネの充電量に関する情報を受信する受信手段と、前記充電量に関する
情報に基づいて、前記立体画像視聴用メガネの前記充電量に関する情報を示す画像表示を
行う表示手段と、を具備することを特徴としている。
【発明の効果】
【００１０】
ユーザが簡便に立体画像視聴用メガネを利用可能な画像表示装置、画像表示システム、
及び表示方法を提供することができる。
【図面の簡単な説明】
【００１１】
【図１】本発明の一実施形態における映像出力システムの一例を示す概念図。
【図２】本発明の一実施形態におけるＤＴＶおよびシャッタメガネの内部構成の一例を示すブロック図。
【図３】本発明の一実施形態における充電状況表示が表示されているときのＤＴＶの概観の一例を示す図。
【図４】本発明の一実施形態における充電完了表示が表示されているときのＤＴＶの概観一例を示す図。
【図５】本発明の一実施形態におけるＤＴＶが行う充電状況表示及び充電完了表示に関する処理の一例を示すフロー図。
【発明を実施するための形態】
【００１２】
本発明に関する実施の形態の一例を、以下で図面を参照しながら説明する。
【００１３】
図１は本実施形態における映像出力システム８の一例を示す概念図である。図１にはＤ
ＴＶ１、シャッタメガネ２、および映像出力システム８が示されている。
【００１４】
ＤＴＶ１は例えばデジタルテレビ（Digital Television）であって本実施形態における
電子機器の一例である。ＤＴＶ１は互いに視差を有する左眼用画像と右眼用画像を交互に
表示することによって、シャッタメガネ２を装着したユーザに立体映像を提供することが
可能である（フレームシーケンシャル方式）。本実施形態では電子機器の一例としてＤＴ
Ｖ１を示すが、これに限定されるものではなく、例えばＰＣ（Personal Computer）等の
様々なものが電子機器の例として考えられる。
【００１５】
シャッタメガネ２（立体画像視聴用メガネ）は左眼用シャッタ６及び右眼用シャッタ７
のそれぞれ遮光可能な液晶シャッタが設けられている。シャッタメガネ２はＤＴＶ１から
受信するシャッタの開閉信号に基づいて左右のそれぞれのシャッタ（左眼用シャッタ６及
び右眼用シャッタ７）を異なるタイミングで開閉することで、ユーザに立体視映像を提供
する。例えば、ＤＴＶ１に左眼用画像が表示されているときには、シャッタメガネ２はＤ
ＴＶ１からの開閉信号に基づいて右眼用シャッタ８を閉状態（遮光状態）、左眼用シャッ
タ７を開状態（透光状態）として、ユーザの左眼のみに左眼用画像を見せる。また右眼用
画像が表示されているときには左眼用シャッタ７を閉状態、右眼用シャッタ８を開状態と
して、ユーザの右眼のみに右眼用画像を見せる。この動作によってユーザは見ている映像
を立体として捉えることができる。
【００１６】
上記の立体視の原理を詳細に説明すると、人間は通常、物体を位置の異なる左眼と右眼
とのそれぞれで見ており、この左眼と右眼とで見るそれぞれの像の間には視差が存在する
。この視差の存在する左眼で見る像と右眼で見る像とを脳内で合成することによって人間
は見ている物体を立体として認識することができる。よって、視差を有する左眼用の画像
と右眼用の画像とをそれぞれの眼で見せることによって、ユーザに映像を立体として捉え
させることが可能となる。この原理を用いて上述のようにシャッタメガネ２はＤＴＶ１の
映像をユーザに立体映像として提供している。
【００１７】
接続ケーブル３はＤＴＶ1とシャッタメガネ２とを物理的および電気的に接続するケー
ブルである。本実施形態において接続ケーブル３はＵＳＢ（Universal Serial Bus）規格
に準拠しており、情報の伝送および電力の伝送を行うことができる。ＤＴＶ１とシャッタ
メガネ２はこの接続ケーブルを介して通信可能となっており、さらにＤＴＶ１は接続ケー
ブル３を介してシャッタメガネ２に電源を供給することが可能である。接続ケーブル３は
主にシャッタメガネ２への電源供給用のケーブルであって、ユーザがシャッタメガネ２を
装着してＤＴＶ1を視聴する際は、一般的にはこの接続ケーブル３はＤＴＶ１およびシャ
ッタメガネ２からは外されている（非接続となっている）。本実施形態に於いて接続ケー
ブル３はＵＳＢ規格に準拠したケーブルであると例示するがこれに限定されず、他の規格
によって実現されるとしてもよい。
【００１８】
電源インジケータ４は例えばＬＥＤ（Light Emitting Diode）によって構成される、Ｄ
ＴＶ１の筺体表面から露出されたインジケータであり、ＤＴＶ１の電源状態を示す機能を
有している。ＤＴＶ１の電源状態とは、例えばＤＴＶ１内の多くのモジュールに電源が供
給され、ユーザが映像を視聴することの可能な状態である電源オン状態や、ユーザが映像
を視聴することができず、ＤＴＶ１内のほとんどのモジュールに電源が供給されていない
状態である待機状態等がある。本実施形態では電源オン状態のとき電源インジケータは緑
色に点灯し、待機状態のときは赤色に点灯するものとする。さらに、例えばＤＴＶ１に全
く電源が供給されていない場合には電源インジケータ４は点灯しない。
【００１９】
充電インジケータ５はＤＴＶ１に例えばＬＥＤによって構成される、ＤＴＶ１の筺体表
面から露出されたインジケータであり、シャッタメガネ２の充電状態を示す機能を有して
いる。充電インジケータ５はシャッタメガネ２の充電状態に応じて点灯する色が変化する
。この充電状態と点灯色との関係については後述にて説明を行う。ＤＴＶ１にシャッタメ
ガネ２が接続されていないときには充電インジケータ５は点灯しない。
【００２０】
映像出力システム８はＤＴＶ１及びシャッタメガネ２によって構成される。ユーザはシ
ャッタメガネ２を装着して、ＤＴＶ１に表示されている映像を見ることで、この映像を立
体映像として認識することができる。
【００２１】
次にＤＴＶ１およびシャッタメガネ２の内部構成に関して詳細に説明を行う。
【００２２】
図２は本実施形態におけるＤＴＶ１およびシャッタメガネ２の内部構成の一例を示すブ
ロック図である。
【００２３】
まず、ＤＴＶ１の内部構成に関して説明を行う。
【００２４】
ＤＴＶ１は、装置各部の動作を制御する制御部１５６を備えている。制御部１５６は、
ＣＰＵ（Central Processing Unit）等を内蔵している。制御部１５６は、操作部１１６
から入力される操作信号や、リモートコントローラ１１７から送信され受信部１１８を介
して受信される操作信号に応じて、ＲＯＭ（Read Only Memory）１５７に予め記憶された
システム制御プログラム及び各種処理プログラムを起動させる。制御部１５６は、起動し
たプログラムに従って、ＲＡＭ（Random Access Memory）１５８をワークメモリとして装
置各部の動作を制御する。
【００２５】
入力端子１４４は、ＢＳ／ＣＳデジタル放送受信用のアンテナ１４３が受信した衛星デ
ジタルテレビジョン放送信号を衛星デジタル放送用のチューナ１４５に供給する。チュー
ナ１４５は、受信したデジタル放送信号のチューニングを行い、チューニングしたデジタ
ル放送信号をＰＳＫ（Phase Shift Keying）復調器１４６に送信する。PSK復調器１４６
は、ＴＳ（Transport Stream）の復調を行い、復調したＴＳをＴＳ復号器１４７ａに供給
し、ＴＳ復号器１４７ａは、TSをデジタル映像信信号、デジタル音声信号、およびデータ
信号を含むデジタル信号に復号した後、信号処理部１００にこれを出力する。ここでのデ
ジタル映像信号とはＤＴＶ１が出力可能な映像に関するデジタル信号であり、音声信号は
ＤＴＶ１が出力可能な音声に関するデジタル信号である。またデータ信号とは、例えばＤ
ＴＶ１が電子番組表であるＥＰＧ（Electronic Program Guide）を生成するときに使用す
る情報である番組関連情報等を含む、放送波の放送番組に関する情報に関するデジタル信
号である。この番組関連情報には、放送番組のタイトル、この番組の詳細情報、番組開始
時刻、番組終了時刻等の情報が含まれている。
【００２６】
入力端子１４９は、地上波デジタル放送受信用のアンテナ１４８が受信した地上波デジ
タルテレビジョン放送信号を地上波デジタル放送用のチューナ１５０に供給する。チュー
ナ１５０は、受信したデジタル放送信号のチューニングを行い、チューニングしたデジタ
ル放送信号をそれぞれのＯＦＤＭ（Orthogonal Frequency Division Multiplexing）復調
器１５１に送信する。ＯＦＤＭ復調器１５１は、ＴＳの復調を行い、復調したＴＳをそれ
ぞれのＴＳ復号器１４７ｂに供給し、ＴＳ復号器１４７ｂは、ＴＳをデジタル映像信号及
び音声信号等に復号した後、信号処理部１００にこれを出力する。
【００２７】
アンテナ１４８は、地上波アナログ放送信号も受信可能である。受信された地上波アナ
ログ放送信号は、図示しない分配器によって分配されて、アナログチューナ１６８に供給
される。アナログチューナ１６８は、受信したアナログ放送信号のチューニングを行い、
チューニングしたアナログ放送信号をアナログ復調器１６９に送信する。アナログ復調器
１６９はアナログ放送信号の復調を行い、復調したアナログ放送信号を信号処理部１００
に出力する。また、ＤＴＶ１は、一例として、アンテナ１４８が接続される入力端子１４
９にＣＡＴＶ（Common Antenna Television）用のチューナを接続することによってＣＡ
ＴＶも視聴することができる。
【００２８】
信号処理部１００は、ＴＳ復号器１４７ａ、１４７ｂ、または制御部１５６から出力さ
れたデジタル信号に、適切な信号処理を施す。より具体的には、信号処理部１００はデジ
タル信号を映像信号、デジタル音声信号、およびデータ信号に分離する。分離された映像
信号はグラフィック処理部１５２に、音声信号は音声処理部１５３に出力される。また信
号処理部１００は、アナログ復調器１６９から出力された放送信号を、所定のデジタルフ
ォーマットの映像信号及び音声信号に変換する。デジタルに変換された映像信号はグラフ
ィック処理部１５２に、音声信号は音声処理部１５３に出力される。また信号処理部１０
０は、ライン入力端子１３７からの入力信号にも所定のデジタル信号処理を施す。
【００２９】
ＯＳＤ（On Screen Display）信号生成部１５４は、制御部１５６の制御に従って、Ｕ
Ｉ（ユーザ・インタフェース）画面などを表示するためのＯＳＤ信号を生成する。また信
号処理部１００においてデジタル放送信号から分離されたデータ信号は、ＯＳＤ信号生成
部１５４により適切なフォーマットのＯＳＤ信号に変換され、グラフィック処理部１５２
に出力される。
【００３０】
グラフィック処理部１５２は、信号処理部１００から出力されるデジタルの映像信号の
デコード処理を行う。デコードされた映像信号は、ＯＳＤ信号生成部１５４から出力され
たＯＳＤ信号と重ね合わせて合成され、映像処理部１５５に出力される。グラフィック処
理部１５２は、デコードされた映像信号またはＯＳＤ信号を、映像処理部１５５に選択的
に出力することもできる。
【００３１】
映像処理部１５５は、グラフィック処理部１５２から出力された信号に対して画質の補
正を行った上で、表示部処理部１５５で表示可能なフォーマットのアナログ映像信号に変
換する。映像処理部１５５でアナログに変換された映像信号は、表示部１２０に表示され
る。
【００３２】
表示部１２０はＬＣＤ（Liquid Crystal Display）によって構成されており、液晶によ
って画像を表示する。バックライト１２１は表示部１２０を後方より照射する。また、バ
ックライト１２１は照射する光の強さまたは照射時間によって、表示する映像の輝度を調
整することが可能である。
【００３３】
音声処理部１５３は、入力された音声信号を、スピーカ１１０で再生可能なフォーマッ
トのアナログ音声信号に変換する。アナログに変換された音声信号は、スピーカ１１０に
出力されて再生される。
【００３４】
カードホルダ１６１は、カードＩ／Ｆ（Interface）１６０を介して制御部１５６に接
続されている。メモリカード１１９は、このカードＩ／Ｆ１６０に装着可能である。メモ
リカード１１９は、例えばＳＤ（Secure Digital）メモリカード、ＭＭＣ（Multimedia C
ard）及びＣＦ（Compact Flash）カード等の記憶媒体である。カードホルダ１６１に装着
されたメモリカード１１９、及び制御部１５６は、カードＩ／Ｆ１６０を介して情報の書
込み／読み出しを行うことができる。
【００３５】
ＵＳＢ端子１３３は、ＵＳＢ Ｉ／Ｆ１６６を介して制御部１５６に接続されている。
ＵＳＢ端子１３３は、一般的なＵＳＢ対応ポートとして使用される。ＵＳＢ端子１３３に
は、例えばハブを介して、携帯電話、デジタルカメラ、各種メモリカードに対するカード
リーダ／ライタ、ＨＤＤ、キーボード等が接続されうる。制御部１５６は、ＵＳＢ端子１
３３を介して接続される機器との間で、情報の通信（送受信）を行うことができる。また
、ＵＳＢ端子１３３には接続ケーブル３を接続することが可能であり、図２においては接
続ケーブル３が接続されている場合を示す。接続ケーブル３はＤＴＶ１の端子１３３とシ
ャッタメガネ２の端子２６とに接続されている。
【００３６】
ＨＤＤ１７０はＤＴＶ１に内蔵される磁気記憶媒体であってＤＴＶ１が有する各種情報
を記憶する機能を有している。
【００３７】
メガネ用信号送信部１６２は、例えば赤外線送信モジュールであり赤外線によってシャ
ッタメガネ２に対して信号を送信することができる。信号処理部１０１は、表示部１２０
が左眼用画像及び右眼用画像とを表示するタイミングと左眼用シャッタ６及び右眼用シャ
ッタ７の開閉（透光／遮光）のタイミングが同期を取るように、メガネ用信号送信部１６
２によってシャッタメガネ２にシャッタの開閉信号を送信する。信号処理部１０１は表示
部１２０が右眼用の画像を表示しているときは、シャッタメガネ２の右眼用シャッタ７が
開（透光状態）、左眼用シャッタ６が閉（遮光状態）とし、左眼用の画像を表示している
ときは、右眼用シャッタ７が閉（遮光状態）、左眼用シャッタ６が開（透光状態）となる
ようにメガネ用信号送信部１６２によって開閉信号を送信する。
【００３８】
電源制御部１６７はＤＴＶ１の電源供給を制御する機能を有している。電源制御部１６
７は端子１３５を介して電源ケーブル（図示しない）と接続されており、電源ケーブルが
例えば各家庭内のコンセントと接続されることによって電源制御部１６７に電力が供給さ
れる。電源制御部１６７は制御部１５６およびＵＳＢ  Ｉ／Ｆ１６６に直接電力を供給す
る。ＤＴＶ１の電源状態が電源オン状態であるとき、電力を供給された制御部１５６は、
接続された多くの構成に対して電力の供給を行い、電源状態が待機状態であるときは所定
の少構成（例えば、操作部１１６、受信部１１８、インジケータ１６５等）にのみ電力の
供給を行う。この電源状態は操作部１１６またはリモートコントローラ１１７を介してユ
ーザから操作可能となっている。ここで、ＵＳＢ  Ｉ／Ｆ１６６は制御部１５６とは独立
して電源制御部１６７からの電力の供給を受けている。
【００３９】
インジケータ１６５は上述の電源インジケータ４及び充電インジケータ５を含み、さら
にこれらの点灯／消灯等を制御する制御部も含む。インジケータ１６５は制御部１５６か
らの指示によって電源インジケータ４及び充電インジケータ５の点灯／消灯及び点灯色の
切り替えを行う。
【００４０】
また、制御部１５６は充電制御部１７１及び充電状況表示生成部１７２を有している。
【００４１】
充電制御部１７１は、ＵＳＢ Ｉ／Ｆ１６６を介してシャッタメガネ２に、バッテリ２
２の蓄電量（バッテリ残量、充電量）の情報を送信する要求であるバッテリ残量情報送信
要求（指示信号）を送信する機能を有している。また、充電制御部１７１はバッテリ残量
情報送信要求に応じてシャッタメガネ２から返信されたバッテリ残量情報に基づいて、充
電状況表示生成部１７２に対して各種表示を生成するように指示を行う。充電制御部１７
１は、取得したバッテリ残量情報に基づいて、シャッタメガネ２のシャッタ２６が現在の
充電量でどれだけの時間連続して駆動していられるかを算出する機能を有している。さら
に、充電制御部１７１はシャッタメガネ２からバッテリ２２の充電完了を示す情報（バッ
テリ２２が最大蓄電量まで充電されたことを示す情報）を受信すると、電源制御部１６７
に対しＵＳＢ  Ｉ／Ｆ１６６を介したシャッタメガネ２への電力の供給を停止するように
指示を行う。このとき、この指示に基づいて電源制御部１６７は電源の供給を停止する。
さらに、シャッタメガネ２が充電完了となるとき、充電制御部１７１は充電状況表示生成
部１７２に対し充電完了表示を生成するように指示する。充電制御部１７１は充電状況表
示生成部１７２に充電状況表示を生成させるときは、その旨の指示とバッテリ残量情報及
びシャッタメガネ２の連続駆動可能時間（連続使用可能時間）情報を送信し、充電完了表
示を生成させるときは、その旨の指示を行う。
【００４２】
充電状況表示生成部１７２は充電制御部１７１からの指示に基づいて、充電状況表示及
び充電完了表示を生成する機能を有している。充電状況表示生成部１７２は充電制御部１
７１からの、充電状況表示生成指示、この時のシャッタメガネ２のバッテリ残量、および
連続駆動可能時間（連続使用可能時間）情報に基づいて充電状況表示を生成し、充電完了
表示の生成指示に基づいて充電完了表示を生成する。充電状況表示生成部１７２は生成し
た表示情報をＯＳＤ信号生成部１６４に送信し、これらの表示は、表示されている画像に
重畳されてＵＩ画面として表示される。このときの表示に関しては図３及び図４を用いて
後述にて説明を行う。
【００４３】
次にシャッタメガネ２の内部構成について説明を行う。
【００４４】
シャッタメガネ２はメガネ用信号受信部２１、バッテリ２２、バッテリ残量検知部２３
、シャッタ駆動部２４、及びシャッタ部２５を有している。
【００４５】
メガネ用信号受信部２１は、例えば赤外線送信モジュールであり、ＤＴＶ１のメガネ用
信号送信部１６２が送信する赤外線による開閉信号を受信する機能を有している。メガネ
用信号受信部２１はシャッタ駆動部２４に対して受信した開閉信号に関する信号を送信す
る。
【００４６】
バッテリ２２は、例えば蓄電器であり供給された電力を蓄えておく機能を有している。
【００４７】
バッテリ制御部２３は端子２６を介して接続ケーブル３と接続されており、接続ケーブ
ル３より供給される電力をバッテリ２２に蓄電する機能を有している。バッテリ制御部２
３はバッテリ２２に蓄電された電力をメガネ用信号受信部２１及びシャッタ駆動部２４に
対して供給する。またバッテリ制御部２３はバッテリ２２の残りの蓄電量を検出する機能
を有している。バッテリ制御部２３はＤＴＶ１から送信されたバッテリ残量情報送信要求
を受信すると、バッテリ２２の残り蓄電量を検出し、端子２４に接続された接続ケーブル
を介して、残り蓄電量（バッテリ残量）の情報をＤＴＶ1に対して送信する。更に、バッ
テリ制御部２３はバッテリ２２の充電が完了すると、充電完了を示す情報（信号）をＤＴ
Ｖ１に対して送信する。
【００４８】
シャッタ制御部２４はシャッタ２４に電圧を印加することによってシャッタ部２５の透
光／遮光を切り替えさせる機能を有している。シャッタ制御部２４はメガネ用信号受信部
２１から受信する開閉信号に関する信号に基づいてシャッタ部２５の左右それぞれのシャ
ッタの透光／遮光の切り替えを制御する。
【００４９】
シャッタ部２５は左眼用シャッタ６及び右眼用シャッタ７であって、シャッタ制御部２
４からの電圧の印加に応じて、透光／遮光の切り替えを行う。電圧が印加されていない状
態においてシャッタ部２５は透光状態となっており、電圧が印加されることによって遮光
状態となる。これにより左右のシャッタにおける透光／遮光状態を切り替えることにより
、上述のようにユーザに立体映像（画像）を提供する。
【００５０】
本実施形態においてＤＴＶ１は表示部１２０にシャッタメガネ２の充電状況を示す充電
状況表示を表示する。次に、この充電状況表示について説明を行う。
【００５１】
図３は本実施形態における充電状況表示３２が表示されているときのＤＴＶ１の概観の
一例を示す図である。図３にはＤＴＶ１、電源インジケータ４、充電インジケータ５、表
示部１２０、表示画像３１、充電状況表示３２、充電メータ３３、及びリモートコントロ
ーラ１１７が示されている。
【００５２】
図３において、ＤＴＶ１の表示部１２０には表示画像３１及び充電状況表示３２が表示
されている。表示画像３１は例えば通常のテレビ放送等によって放送されている映像であ
る。ＤＴＶ１はユーザのリモートコントローラ１１７での操作に応じて充電状況表示３２
を表示部１２０に表示する。この充電状況表示３２は現時点でのシャッタメガネ２の充電
状況の情報を示している。充電状況表示３２には現在のシャッタメガネ２の最大充電量に
対する現在の充電量の割合である充電率を示すパーセント表示が行われ、この表示に対応
する充電量が充電メータ３３として表示される。シャッタメガネ２には現在の充電状況を
ユーザに示す術がないため、ＤＴＶ１が充電状況を表示することによって、ユーザはシャ
ッタメガネ２のみからでは得ることができなかった充電状況の情報を知ることができる。
また、充電状況表示３２には現在のシャッタメガネ２の充電の状況が詳細に表示されるた
め、ユーザは充電中のシャッタメガネ２を好適なタイミングでＤＴＶ１との接続から取り
外すことができる。さらに、充電状況表示３２には現在の充電量でシャッタメガネ２はど
れだけの時間連続して駆動可能であるかの時間情報である連続使用可能時間（連続駆動可
能時間）が表示されている。これによってユーザはシャッタメガネ２の充電を中止したと
き、現時点ではシャッタメガネ２を利用して何時間立体視映像を視聴することができるか
を把握することができる。ユーザは視聴したい立体視コンテンツの時間が分かっていると
き等には、この時間に合わせた分だけシャッタメガネ２を充電して、接続から取り外して
使用することができるため、充電メータ３３および連続使用可能時間が表示されると、Ｄ
ＴＶ１はユーザにとって非常に利便性の高いものとなる。
【００５３】
充電インジケータ５はシャッタメガネ２の充電中に点灯している。この充電インジケー
タ５はＤＴＶ１が待機状態となったときにも電力が供給されている。充電制御部１７１は
、ＤＴＶ１が待機状態となっている間も所定間隔毎にシャッタメガネ２に対してバッテリ
残量情報送信要求を送信しており、取得するバッテリ残量情報に応じて、この充電インジ
ケータ５の点灯色を変更させる機能を有している。ここでの点灯色の変化とは、例えば充
電率が０％〜５０％のときには充電インジケータ５を赤色に点灯させ、充電率が５０％〜
充電完了のときには充電インジケータ５を橙色に点灯させ、充電完了したときは緑色に点
灯させる等の点灯色変化形態である。これによってユーザはＤＴＶ１の電源状態が待機中
であってもシャッタメガネ２の充電状況を確認することができる。
【００５４】
また、ＤＴＶ１はシャッタメガネ２の充電が完了したとき、充電完了表示３４を表示す
る。本実施形態における充電完了表示３４が表示されているときのＤＴＶ１の概観の一例
が図４に示されている。
【００５５】
シャッタメガネ２の充電が完了したときには、上述の処理によってＤＴＶ１は充電が完
了した旨を示す充電完了表示３４を表示部１２０に表示する。これによってユーザは充電
の完了を確認することが可能となる。
【００５６】
次に、ＤＴＶ１等が行う充電状況表示及び充電完了表示に関する処理の処理フローにつ
いて説明を行う。
【００５７】
図５は本実施形態におけるＤＴＶ１が行う充電状況表示及び充電完了表示に関する処理
の一例を示すフロー図である。
【００５８】
まず、制御部１５６はＵＳＢ端子１３３に、シャッタメガネ２につながれた接続ケーブ
ル３が接続されたか否かの判別を行う（ステップＳ５０１）。シャッタメガネ２が接続さ
れていない間は（ステップＳ５０１、Ｎｏ）、処理は再びステップＳ５０１に戻り、接続
されるまで待機する。
【００５９】
ＵＳＢ端子１３３に、シャッタメガネ２につながれた接続ケーブル３が接続されるとき
（ステップＳ５０１、Ｙｅｓ）、制御部１５６は電源制御部１６７に指示を行い、シャッ
タメガネ２の充電を開始させる（ステップＳ５０２）。
【００６０】
シャッタメガネ２の充電が開始されると、制御部１５６は充電インジケータ５に点灯を
開始させる（ステップＳ５０３）。
【００６１】
次に、制御部１５６はＤＴＶ１とシャッタメガネ２との接続が解除されたか否かの判別
を行う（ステップＳ５０４）。
【００６２】
ＤＴＶ１とシャッタメガネ２との接続が解除されないとき（ステップＳ５０４、Ｎｏ）
、制御部１５６はリモートコントローラ１１７からの充電状況表示指示を受信したか否か
の判別を行う（ステップＳ５０５）。
【００６３】
充電状況表示指示を受信したとき（ステップＳ５０５、Ｙｅｓ）、充電制御部１７１は
シャッタメガネ２に対してバッテリ残量情報送信要求を送信する。シャッタメガネ２のバ
ッテリ制御部２３はこれを受信すると、バッテリ２２の充電量を検知し、この充電量の情
報をバッテリ残量情報としてＤＴＶ1に送信する。バッテリ残量情報を受信した充電制御
部１７１はこのバッテリ残量情報に基づいて、シャッタメガネ２の連続駆動可能時間（連
続使用可能時間）を算出し、バッテリ残量情報、連続駆動可能時間（連続使用可能時間）
情報と共に、充電状況表示作成指示を充電状況表示生成部１７２に対して送信する。充電
状況表示生成部１７２は充電制御部１７１から受信するこれらの情報に基づいて充電状況
表示を作成し、表示部１２０に表示する（ステップＳ５０６）。
【００６４】
充電制御部１７１は所定時間間隔毎にシャッタメガネ２に対してバッテリ残量情報送信
要求を送信しており、これによってシャッタメガネ２が送信してくるバッテリ残量情報に
基づいてシャッタメガネ２の充電が完了したか否かの判別を行う（ステップＳ５０７）。
また、この充電を完了したか否かの判別はシャッタメガネ２のバッテリ制御部２３より送
信される充電完了を示す情報を受信したか否かによって行うとしてもよい。
【００６５】
ステップＳ５０７において充電制御部１７１が、充電が完了していないと判別するとき
（ステップＳ５０７、Ｎｏ）、処理フローはステップＳ５０４へと戻る。
【００６６】
ステップＳ５０７において充電が完了したと判別するとき（ステップＳ５０７、Ｙｅｓ
）、充電制御部１７１は充電状況表示生成部１７２に対して充電完了表示を生成するよう
に指示を行う。この指示を受けた充電状況表示生成部１７２は充電完了表示を生成し、こ
れを表示部１２０に表示する（ステップＳ５０８）。
【００６７】
ステップＳ５０８終了後、またはステップＳ５０４においてＤＴＶ１とシャッタメガネ
２との接続が解除されたとき（ステップＳ５０４、Ｙｅｓ）、制御部１５６は電源制御部
１６７に指示を行い、シャッタメガネ２への充電を停止させる（ステップＳ５０９）。
【００６８】
最後に、制御部１５６はインジケータ１６５に対して充電インジケータ５を消灯するよ
うに指示を行い、充電インジケータ５は消灯する（ステップＳ５１０）。
【００６９】
以上で一連の処理フローは終了となる。
【００７０】
本実施形態に於いてＤＴＶ１は電源オンの状態のときは、充電状況表示等によってシャ
ッタメガネ２の充電状態をユーザに詳細に通知し、待機状態のときは充電インジケータ２
によってユーザに充電状態を通知する。これによってユーザはＤＴＶ１の電源状態が電源
オンのときであっても、待機状態のときであってもシャッタメガネの充電の経過を知るこ
とができる。
【００７１】
本実施形態のＤＴＶ１は、シャッタメガネ２の充電に関する情報を示す表示を作成し、
この情報をユーザに提供することで、ユーザは簡便にシャッタメガネを利用することがで
きるようになる。
【００７２】
なお、本発明は上記実施形態そのままに限定されるものではなく、実施段階ではその要
旨を逸脱しない範囲で構成要素を変形して具現化できる。また、上記実施形態に開示され
ている複数の構成要素の適宜な組み合わせにより、種々の発明を形成できる。例えば、実
施形態に示される全構成要素から幾つかの構成要素を削除してもよい。さらに異なる実施
形態にわたる構成要素を適宜組み合わせてもよい。
【符号の説明】
【００７３】
１…ＤＴＶ、２…シャッタメガネ、３…接続ケーブル、４…電源インジケータ、５…充電
インジケータ、６…左眼用シャッタ、７…右眼用シャッタ、８…映像出力システム、１１
０…スピーカ、１２０…表示部、１２１…バックライト、１００…信号処理部、１１６…
操作部、１１７…リモートコントローラ、１１８…受信部、１１９…メモリカード、１３
１…端子、１３３…ＵＳＢ端子、１３７…ライン入力端子、１４３…アンテナ、１４４…
入力端子、１４５…チューナ、１４６…ＰＳＫ復調器、１４７…ＴＳ復号器、１４８…ア
ンテナ、１４９…入力端子、１５０…チューナ、１５１…ＯＦＤＭ復調器、１５２…グラ
フィック処理部、１５３…音声処理部、１５４…ＯＳＤ信号生成部、１５５…映像処理部
、１５６…制御部、１５７…ＲＯＭ、１５８…ＲＡＭ、１６０…カードＩ／Ｆ、１６１…
カードホルダ、１６２…メガネ用信号送信部、１６５…インジケータ、１６６…ＵＳＢ  
Ｉ／Ｆ、１６７…電源制御部、１６８…アナログチューナ、１６９…アナログ復調器、１
７０…ＨＤＤ、１７１…充電制御部、１７２…充電状況表示生成部、２１…メガネ用信号
受信部、２２…バッテリ、２３…バッテリ制御部、２４…シャッタ駆動部、２５…シャッ
タ部、３１…表示画像、３２…充電状況表示、３３…充電メータ、３４…充電完了表示
【図１】
2011211660.tif 000003
【図２】
2011211660.tif 000004
【図３】
2011211660.tif 000005
【図４】
2011211660.tif 000006
【図５】
2011211660.tif 000007
【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
立体画像を表示するデジタルＴＶと、
前記表示された立体画像の視聴を可能にする充電可能な立体画像視聴用メガネと、
を具備し、
前記立体画像視聴用メガネは、
充電可能なバッテリーと、
前記バッテリーの充電量を検出し、検出した充電量に基づいて前記バッテリーの残容量に関する情報を前記デジタルＴＶへ送信する送信手段とを備え、
前記デジタルＴＶは、
前記バッテリーに電力を送信する電力送信手段と、
前記送信手段から前記バッテリーの残容量に関する情報を受信する受信手段と、
受信した前記バッテリーの残容量に関する情報に基づいて、前記立体画像視聴用メガネの充電量に関する情報を示す画像表示を行う表示手段と、
前記バッテリーへ電力を送信する第１の状態と、前記立体画像を表示する第２の状態とを切り替える電源制御手段とを備える
ことを特徴とする画像表示システム。
【請求項２】
前記立体画像視聴用メガネの充電状態を表すＬＥＤを有するインジケータを、
更に具備することを特徴とする請求項１記載の画像表示システム。
【請求項３】
充電可能な立体画像視聴用メガネに対して電力を送信し、前記立体画像視聴用メガネを充電する電力送信手段と、
前記立体画像視聴用メガネの充電量に関する情報を受信する受信手段と、
前記充電量に関する情報に基づいて、前記立体画像視聴用メガネの前記充電量に関する情報を示す画像表示を行う表示手段と、
を具備することを特徴とする画像表示装置。
【請求項４】
前記立体画像視聴用メガネに対して、前記充電量に関する情報を送信する旨の指示信号を送信する指示送信手段を、
更に具備することを特徴とする請求項３記載の画像表示装置。
【請求項５】
電源オン状態と待機状態とを切り替える電源制御手段を、更に具備し、
前記電力送信手段は前記待機状態において電力を送信すること
を特徴とする請求項３記載の画像表示装置。
【請求項６】
前記表示手段は、前記充電量に関する情報に基づいて、前記立体画像視聴用メガネの最大充電量に対する現在の充電量の割合である充電率を表示すること
を特徴とする請求項３記載の画像表示装置。
【請求項７】
前記表示手段は、前記充電量に関する情報に基づいて、前記立体画像視聴用メガネの使用可能時間を表示すること
を特徴とする請求項３記載の画像表示装置。
【請求項８】
前記表示手段は、前記充電量に関する情報に基づいて、前記立体画像視聴用メガネの充電が完了した旨の表示を行うこと
を特徴とする請求項３記載の画像表示装置。
【請求項９】
前記充電量に関する情報に基づいた表示を行うインジケータを、更に具備し、
前記インジケータは前記待機状態においても前記充電量に関する情報に基づいた表示を行うこと
を特徴とする請求項５記載の画像表示装置。
【請求項１０】
前記インジケータは、ＬＥＤを有することを特徴とする請求項９記載の画像表示装置。
【請求項１１】
画像表示装置において実行される表示方法であって
立体画像視聴用メガネと電気的に接続し、
接続された前記立体画像視聴用メガネに対して電力を送信し、
前記立体画像視聴用メガネの充電量に関する情報を受信し、
前記充電量に関する情報に基づいて、前記立体画像視聴用メガネの前記充電量に関する情報を示す画像表示を行う、
ことを特徴とする表示方法。
【請求項１２】
前記立体画像視聴用メガネの充電量が、あらかじめ定められた最大充電量に達したかどうかを判定し、
前記充電量が、あらかじめ定められた最大充電量に達している場合、前記立体画像視聴用メガネの充電が完了した旨の表示を行い、
前記充電量が、あらかじめ定められた最大充電量に達していない場合、前記立体画像視聴用メガネの使用可能時間を表示する
ことを特徴とする請求項１１記載の表示方法。